(57)【特許請求の範囲】
【請求項１】
ソレノイドから突出される可動軸の動きを受けて、機関銃本体における連射状態と停止状態とを切り替える作動桿を駆動することによって、この機関銃本体に弾丸の発射を行わしめる機関銃用トリガ装置であって、
前記ソレノイドに対して固定されるハウジングと、
前記可動軸の突出方向と平行な第１方向にのみ移動可能に前記ハウジングに組み込まれており、前記可動軸が突出すると、この可動軸によって第１の向きへ移動される第１スライド部材と、
前記第１方向と交差する第２方向にのみ所定範囲で相対移動可能に前記第１の移動部材に組み込まれており、係止部及びカム部を一体に有する切替部材と、
この切替部材を前記第２方向における第１の向きへ付勢する第１付勢部材と、この切替部材のカム部と接触することによってカム機構を構成するために前記ハウジングに設けられており、前記第１スライド部材の前記第１方向における第１の向きへの移動に伴って、前記切替部材を前記第１付勢部材による付勢に抗して、前記第２方向における前記第１の向きとは逆の第２の向きへ移動させるカム部材と、
前記第１方向にのみ移動可能に前記ハウジングに組み込まれており、少なくとも前記切替部材が前記第２方向における第１の向きへ最も移動した状態において前記係止部に係合するとともに、少なくとも前記切替部材が前記第２方向における第２の向きへ最も移動した状態において前記係止部との係合が外れる係合部を有し、その第１方向への移動によって前記機関銃本体の作動桿を駆動させる第２スライド部材と、
この第２スライド部材を前記第１方向における前記第１の向きとは逆の第２の向きへ付勢する第２付勢部材と
を備えることを特徴とする機関銃用トリガ装置。
【請求項２】
前記カム機構は、前記第１スライド部材の前記第１方向における第１の向きへの移動に伴って、前記第２部材が前記機関銃本体の作動桿を前記機関銃本体が停止状態となる位置から連射状態となる位置へ移動させるまで、前記係止部が前記第２部材の係合部に係合し、その直後に、前記係止部が前記第２部材の係合部から外れるように、前記切替部材を前記第１スライド部材に対して相対移動させることを特徴とする請求項１記載の機関銃用トリガ装置。
【請求項３】
前記切替部材のカム部は、前記第１方向及び前記第２方向に対して傾斜したカム面である
ことを特徴とする請求項１記載の機関銃用トリガ装置。
【請求項４】
前記カム部材は、前記第１方向及び前記第２方向に対して傾斜したカム面を備える
ことを特徴とする請求項１記載の機関銃用トリガ装置。
【請求項５】
前記カム部材は、前記ハウジングに対して、前記切替部材のカム部と接触する位置と前記切替部材と接触不能な位置との間で移動可能に設けれている
ことを特徴とする請求項１記載の機関銃用トリガ装置。
【請求項６】
前記第２スライド部材は、この第２スライド部材にリンクして作動するとともに前記作動桿に接触するレバーを介して、前記作動桿を駆動する
ことを特徴とする請求項１記載の機関銃用トリガ装置。
【請求項７】
前記第１スライド部材を前記第１方向における第１の向きとは逆の第２の向きへ付勢する第３付勢部材を更に備えた
ことを特徴とする請求項１記載の機関銃用トリガ装置。
【発明の詳細な説明】
【０００１】
【発明の属する技術分野】
この発明は、電動のソレノイドから突出される可動軸の動きを受けて機関銃本体の作動桿を駆動するトリガ装置に関する。
【０００２】
【従来の技術】
機関銃は、一般的に、機関銃本体と、トリガ装置とから、構成されている。このトリガ装置の代表例は、手持射撃用のグリップと一体に構成された引き金である。トリガ装置の他の例としては、同じ機関銃が車両等に固定されて使用される際に機関銃本体に取り付けられて、機関銃銃本体の後端部に取着されたハンドル等に設けられているリモートスイッチによって作動するソレノイド装置が、挙げられる。これら複数種類のトリガ装置を交換可能とするために、機関銃本体には、トリガ装置によるトリガ動作（引き金におけるレバーの回転，ソレノイド装置１による可動軸の突出）を受けて駆動される作動桿が、設けられている。
【０００３】
図９は、ソレノイド装置１が機関銃本体２に取り付けられた状態における機関銃の要部拡大図である。この図９に示されるように、機関銃本体２における後端部近傍の下面には、ソレノイド装置１や図示せぬ引き金を交換自在に取り付けるためのマウント部３が、形成されている。このマウント部３には、ソレノイド装置１や図示せぬ引き金に一体に形成された係合部４に対して前後両端から係合する一対のフック３ａ，３ｂが固定されている。これら両フック３ａ，３ｂに係合部４が係合し、さらに、スプリングピン５がロックされることにより、ソレノイド装置１や図示せぬ引き金は、機関銃本体２に対して強固に固定される。
【０００４】
また、マウント部３における後側（図９の左側）のフック３ｂよりも更に後方には、機関銃本体２の中心軸（銃弾の発射軌道と同軸）に直交する軸６ａを中心として回転自在に、略逆Ｌ字形の作動桿６が取り付けられている。この作動桿６は、図示せぬバネによって、常時図９における時計方向に付勢されており、その先端６ｂは、マウント部３における各フック３ａ，３ｂが固定されている面から突出している。この先端６ｂが外力によってマウント部３内に押し込まれることにより、作動桿６が反時計方向に回転駆動され、機関銃本体２における図示せぬ連射機構が動作する。そして、作動桿６の先端６ｂがマウント部３内に押し込められている間中、上記連射機構は、弾丸を連射し続ける。そして、先端６ｂに対する外力が解除されると、作動桿６は、図示せぬバネによる付勢によって時計方向に回転して初期状態に復帰し、機関銃本体２内の図示せぬ連射機構による弾丸連射が停止する。
【０００５】
一方、ソレノイド装置１内には、可動軸７ａを機関銃本体２の中心軸と平行に後方へ向けた状態で、ソレノイド７が、内蔵されている。このソレノイド７は、上記リモートスイッチがＯＮとなっている間中、その可動軸７ａを突出させ、リモートスイッチがＯＦＦになると、その可動軸７ａを引込める。この可動軸７ａの進退動作を、作動桿６の回転にリンクさせるために、ソレノイド装置１には、略Ｌ字状のリンクレバー５０が、ステー５１によって回動自在に支持されている。このリンクレバー５０は、その一端がソレノイド７の可動軸７ａの先端に常時接触しているとともに、その他端が作動桿６の先端６ｂに常時接触している。従って、上記リモートスイッチがＯＦＦであって可動軸７ａが最も引込められた状態では、リンクレバー５０は作動桿６の先端６ｂを全く押圧しないので、作動桿６は、その先端６ｂをマウント部３から突出させた初期状態の姿勢をとり、その結果、機関銃本体２内の連射機構は弾丸連射を停止している。そして、上記リモートスイッチがＯＮとなって、ソレノイド７内に発生した電磁力によって可動軸７ａが突出すると、リンクレバー５０は、作動桿６の先端６ｂを徐々にマウント部３内に押し込んで行く。そして、作動桿６の角度が一定の臨界角を越えると、機関銃本体２内の連射機構が停止状態から連射状態に切り替わり、弾丸を連射する。その後、リモートスイッチＯＦＦになって、ソレノイド７内に発生していた電磁力が消滅して可動軸７ａがソレノイド７内に引込められと、リンクレバー５０は、作動桿６の先端６ｂに加えていた押圧を徐々に解除する。そして、作動桿６が逆方向（図９の反時計方向）に回転して上記臨界角を下回ると、機関銃本体２内の連射機構が連射状態から停止状態へ切り替わり、弾丸連射が停止する。
【０００６】
【発明が解決しようとする課題】
上述した機関銃は、常に掃射用に使用される訳ではなく、短銃の代用として使用される場合や、主火砲の模擬射撃用として使用される場合がある。後者の例は、戦車等の主火砲を搭載する車両に、その主火砲と同軸に機関銃が搭載される場合の例である。このような場合には、弾丸が連射される必要はなく、単発の発射が行われれば十分である。
【０００７】
しかしながら、上述した構成（機関銃本体２にソレノイド装置１を取り付けてリンクレバー５０を介して可動軸７ａを作動桿６にリンクさせた構成）の機関銃によると、事実上、弾丸の発射を単発のみに制限することは不可能である。即ち、上記構成の機関銃を用いて単発発射を行おうとした場合、射撃手は、リモートスイッチのＯＮ／ＯＦＦを高速に切り替えなければならないが、人間の指の動作には、自ずから速度上の限度がある。それに加えて、ソレノイド７内の回路はＬＲ遅延回路を形成しているので、リモートスイッチにおけるＯＦＦとＯＮとの切り替えに対して可動軸７ａの動作はその過渡現象によって不可避的に遅延する。以上の理由により、作動桿６が臨界角を越えてから臨界角を下回るまでの時間（即ち、連射状態になってから停止状態に戻るまでの時間）は、ある程度の幅を持ってしまう。その結果、射撃手が如何にリモートスイッチを迅速に操作したとしても、複数の弾丸が連射されてしまう。
【０００８】
本発明は、以上のような問題点に鑑みて案出されたものであり、ソレノイドの可動軸の一方向へのストローク中に機関銃本体の作動桿を一方向へ駆動する状態と逆方向へ復帰させる状態とを機械的に切り替えることができ、それにより、機関銃本体内の連射機構を極短時間のみ連射状態にすることによって単発発射可能とした機関銃用トリガ装置の提供を、課題とする。
【０００９】
【課題を解決するための手段】
上記課題を達成するために案出された本発明による機関銃用トリガ装置は、ソレノイドから突出される可動軸の動きを受けて、機関銃本体における連射状態と停止状態とを切り替える作動桿を駆動することによって、この機関銃本体に弾丸の発射を行わしめる機関銃用トリガ装置であって、前記ソレノイドに対して固定されるハウジングと、前記可動軸の突出方向と平行な第１方向にのみ移動可能に前記ハウジングに組み込まれており、前記可動軸が突出すると、この可動軸によって第１の向きへ移動される第１スライド部材と、前記第１方向と交差する第２方向にのみ所定範囲で相対移動可能に前記第１の移動部材に組み込まれており、係止部及びカム部を一体に有する切替部材と、この切替部材を前記第２方向における第１の向きへ付勢する第１付勢部材と、この切替部材のカム部と接触することによってカム機構を構成するために前記ハウジングに設けられており、前記第１スライド部材の前記第１方向における第１の向きへの移動に伴って、前記切替部材を前記第１付勢部材による付勢に抗して、前記第２方向における前記第１の向きとは逆の第２の向きへ移動させるカム部材と、前記第１方向にのみ移動可能に前記ハウジングに組み込まれており、少なくとも前記切替部材が前記第２方向における第１の向きへ最も移動した状態において前記係止部に係合するとともに、少なくとも前記切替部材が前記第２方向における第２の向きへ最も移動した状態において前記係止部との係合が外れる係合部を有し、その第１方向への移動によって前記機関銃本体の作動桿を駆動させる第２スライド部材と、この第２スライド部材を前記第１方向における前記第１の向きとは逆の第２の向きへ付勢する第２付勢部材とを備えることを、特徴とする。
【００１０】
このように構成された本発明の機関銃用トリガ装置によると、ソレノイドから可動軸が突出すると、この可動軸によって、第１スライド部材が第１方向における第１の向きへ移動する。この第１スライド部材が移動すると、切替部材も一体に第１方向における第１の向きへ移動するが、その移動に伴って、そのカム部とカム部材とからなるカム機構が、切替部材を第２方向における第２の向きへ移動させる。その結果、切替部材の係止部が、第１方向及び第２方向に対して傾斜した軌跡に沿って移動する。その移動の途中までは、切替部材の係止部は、第２スライド部材の係合部に対して係合しているので、第２スライド部材を第１方向における第１の向きへ移動させる。この移動の途中において、第２スライド部材は、機関銃本体の作動桿を、機関銃本体を停止状態にする位置から連射状態にする位置へ切り替える。その状態から第１スライド部材が更に第１の向きへ移動すると、切替部材の係止部が第２スライド部材の係合部から外れるので、この第２スライド部材が、第２付勢部材によって、第１方向における第２の向きへ移動する。この移動の途中において、第２スライド部材は、機関銃本体の作動桿を、機関銃本体を連射状態にする位置から停止状態にする位置へ切り替える。従って、第２スライド部材が機関銃本体の作動桿を機関銃本体を停止状態にする位置から連射状態にする位置へ切り替える際における第１スライド部材の位置と、切替部材の係止部が第２スライド部材の係合部から外れる際における第１スライド部材の位置とを極力近づければ、機関銃本体が連射状態にある時間を、弾丸を一発だけ発射できる程度の極短時間とすることができる。従って、本発明によれば、機関銃に単発発射をさせることが可能になる。
【００１１】
本発明におけるカム機構は、切替部材のカム部がカム面であってカム部材がカムフォロワであっても良いし、その逆であっても良いし、両者がカム面であっても良い。また、カム部材は、切替部材のカム部と接触する位置と接触部可能な位置との間で移動可能であっても良い。そのようにすれば、カム部材を切替部材のカム部と接触する位置へ移動させることによって、機関銃を単発発射モードで作動させることができるとともに、カム部材を切替部材のカム部と接触不可能な位置へ移動させることによって、機関銃を連射モードで作動させることができる。
【００１２】
第２スライド部材は、機関銃本体の作動桿を直接駆動しても良いし、レバー等のリンク部材を介して間接的に駆動しても良い。
【００１３】
第１スライド部材は、第１方向における第１の向きとは逆の第２の向きへ付勢されても良い。そのようにすれば、第１スライド部材の動作が安定するとともに、ソレノイドの可動軸の後退に伴って、初期位置に自動的に復帰することができる。
【００１４】
【発明の実施の形態】
以下、この発明によるトリガ装置の実施の形態を説明する。図２は、この実施形態における単発発射装置１０及びソレノイド装置１の平面図（機関銃本体側から見た状態を示す図，但し、その一部に、ソレノイド装置１内部の透視図を含む）であり、図１は、図２におけるI-I線に沿った単発発射装置１０及びソレノイド装置１の断面図（機関銃本体のマウント部３の側面を併せて示す）であり、図３は、図１及び図２における矢印III方向から見た状態を示す後面図（一部に断面を含む）であり、図４は、ソレノイド装置１の斜視図及び単発発射装置１０の分解図である。なお、以下の説明においては、機関銃本体の銃口側を「前（図１及び図２の右側）」と定義し、逆側を「後（図１及び図２の左側）」と定義されている。
【００１５】
これらの図に示されるソレノイド装置１は、従来のソレノイド装置１からステー５１及びリンクレバー５０を除去したものである。このソレノイド装置１は、下面及び前面が開いた概略箱状のフレーム８，９にソレノイド７が固定されることによって、形成されている。このフレーム８，９は、ソレノイド装置１の上面及び左右両側面を構成するようにプレスされた第１フレーム８と、第１フレーム８における左右両側面相当部分８ｂ、８ｃの後端縁の間に掛け渡された矩形板状の第２フレーム９とから、構成されている。この第１フレーム８における上面相当部分８ａと第２フレーム９との間には隙間が形成されている。この隙間に、機関銃本体のマウント部３に固定された後側フック３ｂが入り込んで、第１フレーム８における上面相当部分８ａの後端縁に係合する。他方、マウント部３に固定された前側フック３ａは、第１フレーム８における上面相当部分８ａの前端縁に係合する。この状態において、スプリングピン５がロックされることにより、ソレノイド装置１が機関銃本体のマウント部３に装着される。
【００１６】
これらフレーム８，９によって囲まれる空間の内部には、図示せぬリモートスイッチに連動して可動軸７ａを突出させ（リモートスイッチがＯＮの時）又は引込める（リモートスイッチがＯＦＦの時）ソレノイド７が、その可動軸７ａを後端側へ向けて、固定されている。第２フレーム９には、このソレノイド７の可動軸７ａを通過させるための切欠９ａが、形成されている。なお、可動軸７ａは、ソレノイド７によって後退された時には、この切欠９ａ内に完全に没入し、最も突出した状態においては、第２フレーム９から大きく突出する。また、上述したようにソレノイド装置１が機関銃本体２に装着された状態においては、この可動軸７ａは、機関銃本体２の中心軸（弾丸の発射軌道）と平行になる。なお、また、この切欠９ａの左右両側には、ねじ孔９ｂが形成されている。
【００１７】
一方、単発発射装置１０は、ハウジング１１，スライドベース１２，切替ブロック１３，バネ押さえ板１４，補助プレート１５，底蓋１６，スライドプレート１７，発射モード切替ボタン１８，平行キー１９，レバー２０及び上蓋２１を主要部品として、構成されている。
【００１８】
このうちのハウジング１１の平面図を図５に、後面図（図５の矢印VI方向から見た図）を図６に、前面図（図５の矢印VIII方向から見た図）を図８に、図５におけるVII−VII線に沿った縦断面図を図７に示す。これら各図に示されるように、このハウジング１１は、略直方体の金属ブロックの上面中央部及び下面中央が中心軸（前後を結ぶ軸）に沿って断面矩形状にそれぞれ切削されることにより、前後両端から見て略Ｈ字型となるように形成されている。この切削によってハウジング１１の上面中央に形成された凹部を「上凹部１１ａ」と呼び、下面中央に形成された凹部を「下凹部１１ｂ」と呼ぶ。また、これら上凹部１１ａと下凹部１１ｂとの間に削り残された板状の部分を「隔壁１１ｃ」と呼ぶ。なお、隔壁１１ｃよりも左側（図８における左側）に残された板状の部分を「左側壁１１ｅ」と呼び、隔壁１１ｃよりも右側（図８における右側）に残された部分を「右側壁１１ｄ」と呼ぶ。なお、隔壁１１ｃの中央（図５に示す平面における中央）には、その中心軸に沿って、隔壁１１ｃの全幅の１／３程度の幅、隔壁１１ｃの全長の１／３程度の長さのスリット１１ｆが貫通形成されている。また、隔壁１１ｃの下面（下凹部１１ｂに露出した面）は、その前端からスリット１１ｆに達する範囲において、それ以外の範囲との間で段差を形成するように更に切削され、その部分における隔壁１１ｃの厚さは、それ以外の部分の厚さの略１／２程度になっている。この隔壁１１ｃには、その前端縁からその中心軸に沿って、スリット１１ｆよりも若干広い一定幅の前側切欠１１ｇが、スリット１１ｆとの間に若干の幅を残して形成されている。他方、この隔壁１１ｃには、その後端縁からその中心軸に沿って、スリット１１ｆと略同幅の後側切欠１１ｈが、スリット１１ｆとの間に若干の幅を残して形成されている。
【００１９】
また、ハウジング１１は、その中心軸に沿った中央における隔壁１１ｃの上面（上凹部１１ａに露出した面）よりも若干上に偏った位置を通るとともに中心軸に直交する方向（以下「左右方向」という）に向いた軸を中心として、円孔状にくり貫かれている。このくり貫きによって形成された円孔１１ｉは、若干隔壁１１ｃに掛かっており、左側壁１１ｅにおいては閉じているが、右側壁１１ｄにおいては中心軸に直交する方向のキー溝１１ｊを介して上面に開いている。
【００２０】
さらに、ハウジング１１における前端面と上面との角の近傍には、左右方向を向いた貫通孔１１ｋが、形成されている。また、その貫通孔１１ｋよりも後方にシフトした位置（スリット１１ｆと前側切欠１１ｇとの境界の上方）にも、左右方向を向いた貫通孔１１ｌが、形成されている。また、後側切欠１１ｈにおける最深部近傍を左右方向に貫通するように、貫通孔１１ｍが形成されている。また、貫通孔１１ｍよりも後方において隔壁１１ｃの上方を貫通するように、貫通孔１１ｎが形成されている。
【００２１】
また、ハウジング１１の左右両側面における前端縁と下縁との角には、角柱状のミミ１１ｏが、ハウジング１１の底面及び前端面と面一となるように、一体に突出形成されている。そして、各ミミ１１ｏには、ハウジング１１の中心軸と平行，且つソレノイド装置１の第２フレーム９における両ネジ孔９ｂ，９ｂと同間隔で、これらネジ孔９ｂ，９ｂよりも大径の貫通孔１１ｐが、形成されている。
【００２２】
このハウジング１１の下凹部１１ｂは、ハウジング１１の下面全体を覆う矩形板状の底蓋１６が左右側壁１ｄ，１１ｅにねじ止めされることによって、閉じられている。
【００２３】
また、ハウジング１１の下凹部１１ｂには、この下凹部１１ｂの幅と略同じ幅，この下凹部１１ｂの深さの２／３程度の厚さ，隔壁の前端縁から後側切欠１１ｈの内端までの距離よりも若干長い長さを有する略角柱状のスライドベース１２（第１スライド部材）が、底蓋１６に接触した状態で前後方向（第１方向）にスライド自在に、嵌められている。但し、このスライドベース１２には、その前端面をハウジング１１の前端面と面一にした状態で隔壁１１ｃのスリット１１ｆと重なる位置及び形状で、矩形のスリット１２ａが上下に貫通するように形成されている。なお、このスリット１２ａにおける前後の上縁には、内側に若干量突出したフランジが形成されている。また、このスライドベース１２の下面には、スリット１２ａよりも一回り広い範囲で、下面と平行な凹部１２ｂが形成されている。この凹部１２ｂは、この凹部１２ｂと同じ平面形状とこの凹部１２ｂの深さと同じ厚さの板であるバネ押さえ板１４によって、閉じられている。さらに、このスライドベース１２の後端における左右方向の中央には、上下に貫通する切欠１２ｃが形成されている。そして、この切欠１２ｃを通るように、シャフト２２が貫通して固定されている。
【００２４】
このスライドベース１２の上面におけるスリット１２ａの前側の縁近傍には、前後方向及び上下方向に沿った縦断面がＬ字状の補助プレート１５が、ねじ止め固定さている。この補助プレート１５におけるスライドベース１２の上面に接している部分（基部）の平面形状は、スリット１２ａと同幅の矩形形状であり、その前端縁は、スライドベース１２の前端面をハウジング１１の前端面と面一にした状態において、隔壁１１ｃの前側切欠１１ｇの最深部の縁と重なる。また、この補助プレート１５におけるスライドベース１２の上面から垂直に立ち上がった部分は、スリット１２ａの上方に存在しており、スリット１２ａと略同幅を有するとともに、その先端は、隔壁１１ｃの前端近傍における下面よりも上方に達している。そして、その立ち上がり部分の前側の面は、スライドベース１２の前端面をハウジング１１の前端面と面一にした状態において、スリット１１ｆ前端の内壁に接触する。さらに、この立ち上がり部分の後側の面には、その上下方向に沿ってリブ状のレールが、形成されている。
【００２５】
スライドベース１２のスリット１２ａ内には、バネ押さえ板１４の上面に固定された２本の圧縮バネ２３，２３（第１付勢部材）によって常時上方（第２方向における第１の向き）へ移動するように付勢された切替ブロック１３（切替部材）が、上下方向にスライド自在に嵌め込まれている。この切替ブロック１３は、スリット１１ｆ及びスリット１２ａの幅と略同幅であり、スライドベース１２のスリット１２ａ内でスライドするベース部１３ａと、隔壁１１ｃのスリット１１ｆ内に常時進入しているカム部１３ｂとを、側面から見てＬ字状となるように一体に繋げた形状（カム部１３ｂがベース部１３ａの前端から垂直に立ち上がった形状）に、形成されている。このベース部１３ａの厚さは、スライドベース１２のスリット１２ａの深さ（スライドベース１２の上面からバネ押さえ板１４までの幅）よりも若干薄い。このベース部１３ａの下面には、圧縮バネ２３，２３が収容される一対の穴が、形成されている。そして、各圧縮バネ２３，２３は、ベース部１３ａがスリット１２ａ内に完全に没入した時に、ベース部１３ａの下面に形成された穴の中に完全入り込む。また、このベース部１３ａの後端面における下縁には、ベース部１３ａが各圧縮バネ２３，２３によって突出方向へ付勢された時にスリット１２ａの後側上縁に形成されたフランジに係合するフランジが、形成されている。従って、自由状態においても、このベース部１３が、スリット１２ａから抜け出てしまうことはない。なお、このベース部１３ａがスリット１２ａから最も突出した状態においても、このベース部１３ａの上面は、隔壁１１ｃの下面よりも低い位置に存在している。一方、このベース部１３ａの前端面から連続するカム部１３ｂの前端面には、ベース部１３ａ後端のフランジがスリット１２ａ後端の内壁に接触した状態で補助プレート１５に形成されたレールに填り合う溝が、上下方向に沿って形成されている。従って、この切替ブロック１３は、この補助プレート１５によってガイドされて、ベース部１３ａがスライドベース１２のスリット１２ａ内に完全に入り込んだ位置（没入位置）と、その後端縁のフランジがスリット１２ａのフランジに係合する位置（突出位置）との間で、上下（第２方向）にスライドする。なお、このカム部１３ｂの前後幅は、切替ブロック１３全体の前後幅の半分程度である。また、このカム部１３ｂの上面は、その前端から後端へ向けて斜めに下がるように傾斜したカム面となっており、その前端は、切替ブロック１３が突出位置にあるときに隔壁１１ｃの上面よりも若干突出している。このカム面における前端（上端）と後端（下端）との間における高さ方向の差は、ベース部１３ａにおけるスライドベース１２の上面からの突出量よりも大きい。
【００２６】
ハウジング１１の下凹部１１ｂ内における底蓋１６の上面に接したスライドベース１２と隔壁１１ｃとの間には、スライドプレート１７（第２スライド部材）が、前後にスライド自在に配置されている。このスライドプレート１７は、ハウジング１１の下凹部１１ｂと略同じ幅（スライドベース１２と同一の幅）を有している。また、スライドプレート１７は、隔壁１１ｃの下面における前端近傍部分とスライドベース１２上面との間隔と略同厚のレバー駆動部１７ａと、隔壁１１ｃの下面における後端近傍部分とスライドベース１２上面との間隔と略同厚の従動部１７ｂとに、区分される。このレバー駆動部１７ａは、スライドベース１２の前面がハウジング１１の前面と面一になる位置にある状態（補助プレート１５の立ち上がり部が隔壁１１ｃのスリット１１ｆ前端の内壁に接触した状態）において、補助プレート１５の基部における前端縁にその後端面が接触するとともにハウジング１１の前端面から前端面が若干突出する前後方向の長さを、有している。そして、このレバー駆動部１７ａ前端における左右方向の中央には、スリット１２ａと略同幅で上下に貫通する切欠１７ｄが、形成されている。そして、このレバー駆動部１７ａには、切欠１７ｄを貫通するように、貫通孔１７ｅが形成されている。
【００２７】
また、従動部１７ｂには、レバー駆動部１７ａの後端面が補助プレート１５に接触した状態において、この補助プレート１５を収容するとともにスライドベース１２のスリット１２ａと重なる矩形のスリット１７ｃが、貫通して形成されている。この状態において、スリット１７ｃ後端の内壁は、スライドベース１２のスリット１２ａ後端の内壁（フランジ以外の領域）と、面一になる。なお、このスライドプレート１７は、スライドベース１２と一体に、レバー駆動部１７ａの後端面が、隔壁１１ｃの下面の段差に接触するまで、後方へスライド可能である。なお、レバー駆動部１７ａの後端面が隔壁１１ｃの下面の段差に接触した状態でも、切替ブロック１３のカム部１３ｂの後端面は、隔壁１１ｃのスリット１１ｆ後端の内壁に接触しない。
【００２８】
ハウジング１１における上述した貫通孔１１ｍには、シャフト２４が貫通して固定されている。このシャフト２４は、隔壁１１ｃの後側切欠１１ｈにおいて、弦巻バネ２５（第３付勢部材）のコイル部を貫通している。また、ハウジング１１における上述した貫通孔１１ｎには、シャフト２６が貫通して固定されている。弦巻バネ２５の固定端は、両側壁１１ｄ，１１ｅの間においてシャフト２６に係止されている。一方、この弦巻バネ２５の自由端は、スライドベース１２の切欠１２ｃ内において、シャフト２２に当接し、スライドベース１２をその先端側（第１方向における第２の向き）へスライドするように常時付勢する。従って、スライドベース１２に外力が掛かっていない状態では、このスライドベース１２は、補助プレート１５の立ち上がり部の先端の前端面が隔壁１１ｃのスリット１１ｆ前端の内壁に当接することにより、その前端面がハウジング１１の前端面と面一となった位置で、位置決めされる。
【００２９】
レバー２０は、略Ｌ字状の側面形状を有する板であり、その湾曲部において、ハウジング１１の貫通孔１１ｋを貫通して固定されたシャフト２７によって、両側壁１１ｄ，１１ｅの間において、回動自在に軸支されている。そして、このレバー２０の外面は、ハウジング１１の外縁に沿っており、その上端は、ハウジング１１の貫通孔１１ｌを貫通して固定されたシャフト２８の手前まで達しており、その下端は、スライドプレート１７における切欠１７ｄ内に入り込んでいる。このレバー２０の下端には、レバー２０の軸方向に長い開口形状を有する長穴２０ａが、左右方向に貫通している。そして、スライドプレート１７の貫通孔１７ｅに貫通して固定されたシャフト２９が、切欠１７ｄ内において、この長穴２０ａをも貫通している。なお、スライドプレート１７が最も前側にスライドした状態において、シャフト２９は、長穴２０ａにおける上端に位置している。上述したシャフト２７は、レバー２０の両側において、弦巻バネ３０（第２付勢部材）の一対のコイル部をそれぞれ貫通している。この弦巻バネ３０の固定端に相当する両端は、シャフト２８に係合している。一方、この弦巻バネ３０の自由端に相当する両コイル部の間の部分は、レバー２０の下端における時計方向側縁に掛けられており、レバー２０を反時計方向へ回転させるように、また、スライドプレート１７を前方（第１方向における第２の向き）へスライドさせるように、常時付勢する。従って、切替ブロック１３に外力が掛かっていない状態では、このスライドプレート１７は、その従動部１７ｂにおけるスリット１７ｃ後端の内壁（係合部）が切替ブロック１３のベース部１３ａにおける後端面（係止部）に当接することにより、スライドベース１２に対して、相対的に位置決めされている。
【００３０】
また、ハウジング１１の円孔１１ｉには、この円孔１１ｉの内径と略同径の最大外形を有する発射モード切替ボタン１８（カム部材）が挿入されている。この発射モード切替ボタン１８は、ハウジング１１の全幅に切替ブロック１３の幅を加えた長さよりも若干軸方向に長い円柱部材から、削り出されている。そして、発射モード切替ボタン１８は、その一端が左側壁１１ｅの外面から若干突出した状態において、隔壁１１ｃのスリット１１ｆと重なる部分が、小径部１８ａとして細く削られている。なお、この小径部１８ａは、突出状態における切替ブロック１３のカム部１３ｂの前端（上端）よりも、その外周面が高くなるように、その外径が設定されている。また、その小径部１８ａよりも右側壁１１ｄ側へ若干ずれた位置には、若干外径が細く形成された環状溝１８ｂが、形成されている。この環状溝１８ｂと他端との間の外周面には、その軸方向と平行且つキー溝１１ｊと同幅の平行溝１８ｃが、一カ所だけ形成されている。この平行溝１８ｃには、長円柱型の平行キー１９が嵌め込まれて固定されている。この平行キー１９は、平行溝１８ｃ及びキー溝１１ｊと略同幅，且つ両者を併せた厚さよりも若干薄い。従って、この平行キー１９における平行溝１８ｃから突出した部分は、キー溝１１ｊに差し込まれ、発射モード切替ボタン１８を、軸方向にのみ移動可能且つ回転不能に、ガイドする。このようにして回転規制された発射モード切替ボタン１８の外周面における小径部１８ａの他端側縁から切替ブロック１３と同幅の領域には、切替ブロック１３のカム部１３ｂにおけるカム面と同じ傾斜角のカム面１８ｄが、切替ブロック１３に面して、形成されている。このカム面１８ｄの高さは、切替ブロック１３のカム部１３ｂにおけるカム面の高さとほぼ同じである。従って、このカム面１８ｄが切替ブロック１３と重なる位置まで発射モード切替ボタン１８が移動されると、スライドベース１２とともに切替ブロック１３が後端側へスライドするにつれて、両カム面が接触して、カム機構として相対的に滑ることにより、切替ブロック１３が没入位置へ向けて下方（第２方向における第２の向き）へ押し込まれていき、ついに、ベース部１３ａがスライドベース１２のスリット１２ａ内に完全に没入し、その後端面とスライドプレート１７のスリット１７ｃとの係合が外れる。なお、発射モード切替ボタン１８の環状溝１８ｂは、隔壁１１ｃ上面に敷設された切替軸バネ３１に係合している。この切替軸バネ３１が環状溝１８ｂに係合していることにより、発射モード切替ボタン１８は、その小径部１８ａが切替ブロック１３と重なる位置（連射モード位置）とそのカム面１８ｄが切替ブロック１３と重なる位置（単発モード位置）との間でのみ移動可能に規制され、その摩擦によって、各位置にて保持される。
【００３１】
以上の各部品が組み込まれたハウジング１１における後端面及び上面におけるシャフト２８近傍までの領域は、防塵用の上蓋２１によってカバーされる。これにより、単発発射装置１０が完成する。
【００３２】
以上のようにして完成された単発発射装置１０は、ハウジング１１の各ミミ１１ｏに形成された貫通孔１１ｐに挿通されたヘックスビス３２が第２フレーム９のネジ孔９ｂにねじ込まれることにより、ソレノイド装置１に固定される。このようにソレノイド装置１に単発発射装置１０が固定された状態において、ソレノイド７の可動軸７ａは、スライドベース１２の前端面にのみ当接可能になる。また、レバー２０の上端は、ソレノイド装置１が装着された機関銃本体２における作動桿６の先端６ｂに、当接可能となる。
【００３３】
以下、上述したように構成された本実施形態による単発発射装置１０の動作を、連射モードと単発モードに分けて、夫々説明する。
【００３４】
最初に、連射モード時の説明を行う。この場合、射撃手は、発射モード切替ボタン１８をハウジングの左側壁１１ｅ側から押し込み、その小径部１８ａが切替ブロック１３に重なる位置へ移動させる。これにより、機関銃の発射モードが連射モードとなる。この状態のまま、射撃手が図示せぬリモートスイッチをＯＮにすると、ソレノイド装置１内のソレノイド７が、その可動軸７ａを突出させる。可動軸７ａが突出してゆくと、その途中において、可動軸７ａの先端がスライドベース１２の前端面に当接し、このスライドベース１２を、弦巻バネ２５の付勢に抗して、後方（図１の左側）へ移動させる。このスライドベース１２と一体に、切替ブロック１３も後方へ移動するが、その移動の間にこの切替ブロック１３のカム部１３ｂは、発射モード切替ボタン１８の小径部１８ａをすり抜けるので、切替ブロック１３に全く干渉せず、よって、切替ブロック１３は突出位置を保つ。そのため、切替ブロック１３のベース部１３ａにおける後端面が、スライドプレート１７の従動部１７ｂに形成されたスリット１７ｃ後端の内壁に係合したままとなるので、弦巻バネ３０による付勢に抗して、スライドプレート１７を、スライドベース１２と一体に後方へ移動させる。その結果、このスライドプレート１７にリンクされたレバー２０が、図１における時計方向に回転し、機関銃本体２の作動桿６の先端６ｂを押圧する。以上のようにして、ソレノイド７による可動軸７ａの突出に連動して、作動桿６が反時計方向へ回転してゆく。そして、この作動桿６の角度が所定の臨界角を越えると、機関銃本体２の連射機構の状態が停止状態から連射状態へ切り替わり、機関銃本体２から弾丸が連射される。なお、可動軸７ａは、その後も突出をし続けて、最終的に最大突出位置にて停止する。この状態でも、切替ブロック１３のカム部１３ｂの後端面は隔壁１１ｃのスリット１１ｆ後端の内壁に当接せず、スライドプレート１７のレバー駆動部１７ａの後端面は、隔壁１１ｃ下面の段差に当接しない。
【００３５】
その後、掃射を止めるために射撃手がリモートスイッチをＯＦＦにすると、ソレノイド７は可動軸７ａを後退させてゆく。すると、弦巻バネ２５及び３０の付勢力によって、スライドベース１２，切替ブロック１３及びスライドプレート１７が、一体となって可動軸７ａの後退に追従して前方（図１の右側）へ移動していく。それに従い、レバー２０が反時計方向に回転し、機関銃本体２の作動桿６の先端６ｂに対する押圧を解除してゆくので、作動桿６が時計方向に回転してゆく。そして、この作動桿６の角度が上記臨界角を下回ると、機関銃本体２の連射機構の状態が連射状態から停止状態へ切り替わり、弾丸の発射が停止される。
【００３６】
次に、単発モード時の説明を行う。この場合、射撃手は、発射モード切替ボタン１８をハウジングの右側壁１１ｄ側から押し込み、そのカム面１８ｄが切替ブロック１３に重なる位置へ移動させる。これにより、機関銃の発射モードが単発モードとなる。この状態のまま、射撃手が図示せぬリモートスイッチをＯＮにすると、ソレノイド装置１内のソレノイド７が、その可動軸７ａを突出させる。可動軸７ａが突出してゆくと、その途中において、可動軸７ａの先端がスライドベース１２の前端面に当接し、このスライドベース１２を、弦巻バネ２５の付勢に抗して、後方（図１の左側，第１方向における第１の向き）へ移動させる。このスライドベース１２とともに切替ブロック１３も後方へ移動するが、その移動の間にこの切替ブロック１３のカム部１３ｂに形成されたカム面が発射モード切替ボタン１８のカム面１８ｄに接触して相対的に滑るので、切替ブロック１３が下方（第２方向における第２の向き）へ移動してスライドベース１２のスリット１２ａ内に押し込まれていく。この切替ブロック１３のベース部１３ａがスライドベース１２の上面から出ている間は、その後端面がスライドプレート１７の従動部１７ｂに形成されたスリット１７ｃ後端の内壁に係合しているので、弦巻バネ３０による付勢に抗して、スライドプレート１７は、スライドベース１２と一体に後方へ移動される。その結果、このスライドプレート１７にリンクされたレバー２０が、図１における時計方向に回転し、機関銃本体２の作動桿６の先端６ｂを押圧する。以上のようにして、ソレノイド７による可動軸７ａの突出に連動して、作動桿６が反時計方向へ回転してゆく。そして、この作動桿６の角度が所定の臨界角を越えると、機関銃本体２の連射機構の状態が停止状態から連射状態へ切り替わり、機関銃本体２から弾丸が発射される。この際にも可動軸７ａは突出をし続けており、次の瞬間、切替ブロック１３のベース部１３ａはスライドベース１２のスリット１２ａ内に完全に没入し、このベース部１３ａの後端面との係合が外れたスライドプレート１７が、弦巻バネ３０の付勢力によって前方（図１の右側）へ一挙に移動し、それとともに、レバー２０が反時計方向へ逆回転する。これによって、先端６ｂへの押圧が解かれた作動桿６も時計方向へ急速回転するので、機関銃本体２の連射機構の状態が連射状態から停止状態へ直ちに切り替わる。
【００３７】
従って、作動桿６が停止状態から連射状態への臨界角を越えた直後に切替ブロック１３とスライドプレート１７との係合が外れるように、各カム面の角度や切替ブロック１３のベース部１３ａの厚が予め調整されていれば、機関銃本体２の連射機構が弾丸を一発だけ発射した時点で、連射状態から停止状態に戻るようにすることができる。このように、本実施形態の単発発射装置１０によれば、機関銃本体２の連射機構の停止状態から連射状態への切り替えと、連射状態から停止状態への切り替えとを、ソレノイド７による可動軸７ａの同一方向へのストローク中に連続して行うことができ、しかも、両切り替えのタイミングは機械的に設定される。従って、従来のような可動軸７ａの移動方向の切り替えに起因するタイムラグや人間の操作に起因するタイムラグをなくすことができる。また、本実施例の単発発射装置１０によると、スライドプレート１７及びレバー２０の逆方向への移動は弦巻バネ２０の付勢力によってなされる。従って、ソレノイドを用いて駆動する場合のような過渡現象による遅延が生じないので、連射機構の状態の切り替えが極めてクイックに行われる。
【００３８】
なお、機関銃本体２の連射機構が連射状態から停止状態に切り替わることによって弾丸の発射が停止した後も、ソレノイド７の可動軸７ａは突出し続け、スライドベース１２は後方への移動をし続ける。そして、可動軸７ａが最大突出位置に達すると、スライドベース１２は、最も後端側の位置に達する。その後、射撃手がリモートスイッチをＯＦＦにすると、上述した連射モードの場合と同様にして、可動軸７ａ及びスライドベース１２が初期位置に戻り、これとともに、切替ブロック１３も突出位置に戻る。
【００３９】
本実施形態は、従来のソレノイド装置１に取り付けられるように単発発射装置１０を構成したが、ソレノイド７を一体に組み込んだ単発発射装置として構成されても良い。
【００４０】
【発明の効果】
以上説明したように、この発明のトリガ装置によれば、ソレノイドの可動軸の一方向へのストローク中に機関銃本体の作動桿を一方向へ駆動する状態と逆方向へ復帰させる状態とを機械的に切り替えることができ、それにより、機関銃本体内の連射機構を極短時間のみ連射状態にすることができるので、機関銃の単発発射が可能になる。
【図面の簡単な説明】
【図１】  本発明の一実施形態による単発発射装置及びソレノイド装置の縦断面図
【図２】  単発発射装置及びソレノイド装置の一部透過平面図
【図３】  図１及び図２における矢印III方向から見た一部断面後面図
【図４】  単発発射装置の分解図及びソレノイド装置の斜視図
【図５】  ハウジングの平面図
【図６】  図５の矢印VI方向から見たハウジングの後面図
【図７】  図５のVII-VII線に沿った縦断面図
【図８】  図５の矢印VIII方向から見たハウジングの前面図
【図９】  従来の機関銃本体及びソレノイド装置の要部拡大図
【符号の説明】
１    ソレノイド装置
２    機関銃本体
３    マウント部
６    作動桿
７    ソレノイド
７ａ  可動軸
１０    単発発射装置
１１    ハウジング
１２    スライドベース
１３    切替ブロック
１７    スライドプレート
１８    発射モード切替ボタン
２０    レバー
２５    弦巻バネ
３０    弦巻バネ
【図１】
0003661934.tif 000002
【図２】
0003661934.tif 000003
【図３】
0003661934.tif 000004
【図４】
0003661934.tif 000005
【図５】
0003661934.tif 000006
【図６】
0003661934.tif 000007
【図７】
0003661934.tif 000008
【図８】
0003661934.tif 000009
【図９】
0003661934.tif 000010